(57)【要約】【課題】磁気ディスクカートリッジにおいて、ケース内に侵入したりあるいはケース内で発生した塵埃等が磁気ディスクメディアに付着することを防止する。【解決手段】円盤状の磁気ディスクメディア４と、この磁気ディスクメディア４を回転させるドライブ装置の回転スピンドルを挿通させるスピンドル孔２ｂを中央部に有して、磁気ディスクメディア４を回転可能に収容したケースＣとを備えてなる磁気ディスクカートリッジにおいて、ケースＣの磁気ディスクメディア４に対面する内面に、該磁気ディスクメディア４の回転によって生じる空気流をケース中央部側に導くインペラ状の突起１ｄ、２ｄを形成する。【選択図】　　　　　図１
2004013991.tif 000002
【特許請求の範囲】
【請求項１】
円盤状の磁気ディスクメディアと、
この磁気ディスクメディアを回転させるドライブ装置の回転スピンドルを挿通させるスピンドル孔を中央部に有して、前記磁気ディスクメディアを回転可能に収容したケースとを備えてなる磁気ディスクカートリッジにおいて、
前記ケースの磁気ディスクメディアに対面する内面に、該磁気ディスクメディアの回転によって生じる空気流をケース中央部側に導くインペラ状の突起が形成されていることを特徴とする磁気ディスクカートリッジ。
【請求項２】
円盤状の磁気ディスクメディアと、
この磁気ディスクメディアを回転させるドライブ装置の回転スピンドルを挿通させるスピンドル孔を中央部に有するとともに、磁気ヘッド挿入用の窓部を有して前記磁気ディスクメディアを回転可能に収容したケースとを備えてなる磁気ディスクカートリッジにおいて、
前記ケースに、前記スピンドル孔および窓部とは別の空気流通用開口が設けられていることを特徴とする磁気ディスクカートリッジ。
【発明の詳細な説明】
【０００１】
【発明の属する技術分野】
本発明は、ケース内に磁気ディスクメディアを収容してなり、この磁気ディスクメディアを回転させて磁気記録再生に利用する磁気ディスクカートリッジに関するものである。
【０００２】
【従来の技術】
従来、フレキシブルなポリエステルシート等からなる円盤状の支持体の両面に磁性体層が形成された可撓性磁気記録メディアを、例えば上下シェルハーフを接合してなるケース内に回転自在に収容してなる磁気ディスクカートリッジが提供されている。なお上記ケースにおいては通常、磁気ディスクメディアを回転させるドライブ装置の回転スピンドルを挿通させるスピンドル孔が中央部に形成されるとともに、磁気ヘッド挿入用の窓部が設けられる。この種の磁気ディスクカートリッジは、その取扱いの容易性、低コストといった利点から、主としてコンピュータ用の記録媒体として用いられている。
【０００３】
上記構成の磁気ディスクカートリッジにおいて、磁気ディスクメディアに塵埃等が付着すると、それがいわゆるドロップアウトの原因となる。このドロップアウトの問題は、磁気ディスクメディアの記録密度がより高いほど発生しやすくなる。そこで、例えば３．５インチタイプの磁気ディスクカートリッジ等においては、磁気ディスクメディアに対面するケース内面に、磁気ディスクメディアに付着した塵埃等の付着物を除去するライナーを配設した構造が広く採用されている。そのライナーは一般に、磁気ディスクメディアに接触する表面が起毛状態になっている材料から形成され、該表面が回転する磁気ディスクメディアに接触して、そこに付着している塵埃等を該表面部分で払拭、捕捉するようになっている。
【０００４】
【発明が解決しようとする課題】
上述の塵埃等は、ケース内に収容されている磁気ディスクメディアが回転すると、いわゆるベルヌーイ効果により磁気ディスクカートリッジの開口部、つまり前述したスピンドル孔や磁気ヘッド挿入用の窓部からケース内に流入する空気に混入してケース内に侵入し、磁気ディスクメディアに付着するようになる。また、磁気ディスクカートリッジが長時間使用されるのにつれて、磁気ディスクメディアやケースや前述のライナーから摩耗粉が発生し、それが磁気ディスクメディアに付着することもある。
【０００５】
本発明は上記の事情に鑑み、ケース内に侵入したりあるいはケース内で発生した塵埃等が磁気ディスクメディアに付着することを防止できる磁気ディスクカートリッジを提供することを目的とする。
【０００６】
【課題を解決するための手段】
本発明による第１の磁気ディスクカートリッジは、前述したように、
円盤状の磁気ディスクメディアと、
この磁気ディスクメディアを回転させるドライブ装置の回転スピンドルを挿通させるスピンドル孔を中央部に有して、前記磁気ディスクメディアを回転可能に収容したケースとを備えてなる磁気ディスクカートリッジにおいて、
前記ケースの磁気ディスクメディアに対面する内面に、該磁気ディスクメディアの回転によって生じる空気流をケース中央部側に導くインペラ状の突起が形成されていることを特徴とするものである。
【０００７】
なおこの第１の磁気ディスクカートリッジにおいては、ケースの上記スピンドル孔が設けられた面と反対側の面に、空気排出用の孔を設けておくことが望ましい。またそのようにする場合は、その空気排出用の孔が、カートリッジ非使用時はシャッターによって覆われるようにするのが望ましい。
【０００８】
また、本発明による第２の磁気ディスクカートリッジは、
円盤状の磁気ディスクメディアと、
この磁気ディスクメディアを回転させるドライブ装置の回転スピンドルを挿通させるスピンドル孔を中央部に有するとともに、磁気ヘッド挿入用の窓部を有して前記磁気ディスクメディアを回転可能に収容したケースとを備えてなる磁気ディスクカートリッジにおいて、
前記ケースに、前記スピンドル孔および窓部とは別の空気流通用開口が設けられていることを特徴とするものである。
【０００９】
【発明の効果】
本発明による第１の磁気ディスクカートリッジにおいては、ケースの磁気ディスクメディアに対面する内面に、該磁気ディスクメディアの回転によって生じる空気流をケース中央部側に導くインペラ状の突起が形成されていることにより、塵埃等を含んでケース内に流入した空気や、ケース内に流入してからその内部に存在していた塵埃等を含むようになった空気は、ケース中央部のスピンドル孔に導かれ、そこからケース外に排出されるようになる。そこで、この空気に含まれていた塵埃等がケース内の磁気ディスクメディアに付着することが防止されて、ドロップアウトの発生が抑えられるようになる。
【００１０】
特に、この第１の磁気ディスクカートリッジにおいて、ケースの上記スピンドル孔が設けられた面と反対側の面に空気排出用の孔が設けられている場合は、そこからも空気が抜け出るので空気の流動がより良好になり、塵埃等をケース外に排出する効果がより高いものとなる。
【００１１】
また本発明による第２の磁気ディスクカートリッジにおいては、磁気ディスクメディアを回転可能に収容したケースに、スピンドル孔および磁気ヘッド挿入用窓部とは別の空気流通用開口が設けられているので、ドライブ装置内で流通する例えば冷却用空気が該ケースに当たるように磁気ディスクカートリッジの装填位置を設定しておけば、スピンドル孔からケース内に入った空気をこの空気流通用開口を通してケース外に排出させたり、あるいはそれと反対にこの空気流通用開口からケース内に入った空気をスピンドル孔を通してケース外に排出させることが可能になる。このように上記空気流通用開口を利用して積極的に空気を流動させれば、ケース内に存在していた塵埃等や、ケースの外で空気に混入していた塵埃等がこの空気と一緒にケース外に排出されるようになり、塵埃等がケース内の磁気ディスクメディアに付着することが防止されて、ドロップアウトの発生が抑えられる。
【００１２】
【発明の実施の形態】
以下、図面を参照して本発明の実施の形態を詳細に説明する。
【００１３】
図１は本発明の一実施の形態による磁気ディスクカートリッジを、上下シェルハーフを分解して示す斜視図である。この磁気ディスクカートリッジは、一例としていわゆる３．５インチタイプのフロッピディスク（登録商標）カートリッジであり、例えばアクリロニトリル−ブタジエン−スチレン共重合体のような合成樹脂から形成された上シェルハーフ１および下シェルハーフ２を接合して形成された扁平なケースＣ（ハードケース）と、このケースＣ内に回転自在に収容された円盤状の磁気ディスクメディア４とを備えてなるものである。
【００１４】
上記磁気ディスクメディア４は、フレキシブルなポリエステルシート等からなる円盤状のベースの両面に磁性体層が形成されたものであり、外周部と内周部とを除く円環状に記録領域４ａが設定され、この記録領域の内外縁部が非記録領域４ｂとなっている。また磁気ディスクメディア４の中央部は、センターコア３に固定、保持されている。
【００１５】
このセンターコア３は、磁気ディスクカートリッジが図示しないドライブ装置に装填されると、該ドライブ装置の回転スピンドルと係合する。そこでこの回転スピンドルが駆動されると、その回転力によって該センターコア３が、つまりは磁気ディスクメディア４が矢印Ｄ方向に回転駆動される。
【００１６】
上シェルハーフ１および下シェルハーフ２は扁平なほぼ矩形状とされ、それらの外周には側壁を構成する外周リブ１ａ，２ａが設けられている。またこれらの上シェルハーフ１および下シェルハーフ２の一部には、それぞれ長方形の磁気ヘッド挿入用窓部１０，１１が設けられている。
【００１７】
下シェルハーフ２の中央部分には、上記センターコア３が臨む大きさの円形のスピンドル孔２ｂが開口されている。他方、上シェルハーフ１の中央部分には、小さな円形の空気排出孔１ｂが開口されている。また図示は省略してあるが、上シェルハーフ１の内面の中心部には、センターコア３の外周の環状部分より内側に位置する環状突起が突設されている。この環状突起はセンターコア３の上記環状部分の内側に嵌入して、磁気ディスクメディア４の半径方向への移動を規制する。また、ケースＣの窓部１０，１１を開閉するために、図中矢印Ｂ方向に滑動自在とされたシャッター部材５が組み付けられる。
【００１８】
さらに、上シェルハーフ１および下シェルハーフ２の内面にはそれぞれ、磁気ディスクメディア４の回転によって生じる空気流をケース中央部側に導くインペラ状の突起１ｄ，２ｄが形成されている。
【００１９】
上記構成の磁気ディスクカートリッジがドライブ装置に装填されて、磁気ディスクメディア４が回転駆動されると、それに伴って動く空気はインペラ状突起１ｄ，２ｄの作用により、ケースＣの中央部側に流動する。こうして、塵埃等を含んで窓部１０，１１からケースＣ内に流入した空気や、ケースＣ内に流入してからその内部に存在していた塵埃等を含むようになった空気は、ケース中央部の空気排出孔１ｂおよびスピンドル孔２ｂに導かれ、そこからケースＣ外に排出される。そこで、この空気に含まれていた塵埃等が磁気ディスクメディア４に付着することが防止され、ドロップアウトの発生が抑えられるようになる。
【００２０】
特に、本実施の形態のように空気排出孔１ｂを設けておけば、スピンドル孔２ｂのみならず、この空気排出孔１ｂからも空気が抜け出るので、空気の流動がより良好になり、塵埃等をケースＣ外に排出する効果がより高くなる。なおこの空気排出孔１ｂは、カートリッジ非使用時はシャッター５によって覆われ、そこから塵埃等がケースＣ内に侵入しないようにされている。
【００２１】
なお本発明は、ケース内に前述のようなライナーを設けたタイプの磁気ディスクカートリッジに対しても同様に適用可能である。その場合は、ライナーにも上記インペラ状突起１ｄ，２ｄと同様の凹凸を設けて、空気をケース中央部側に導く機能を付加することが望ましい。
【００２２】
次に、本発明の第２の実施の形態について説明する。図２は本発明の第２の実施の形態による磁気ディスクカートリッジの斜視形状を示すものであり、また図３はこの磁気ディスクカートリッジを図２のＡ−Ａ線で破断して示す側断面図である。なおこれらの図２、３において、図１中の要素と同等の要素には同番号を付してあり、それらについての説明は特に必要のない限り省略する（以下、同様）。
【００２３】
本実施の形態の磁気ディスクカートリッジにおいては、ケースＣを構成する上シェルハーフ１の中央部に、一例として２個の空気流通用開口１ｅが設けられている。図示しないドライブ装置において、この磁気ディスクカートリッジの装填位置は、該ドライブ装置内を流通する冷却用空気（図３中、その流動経路を矢印Ｆで示す）が下シェルハーフ２の中央部分に当たるように設定されている。
【００２４】
そこで上記冷却用空気は、下シェルハーフ２のスピンドル孔２ｂからケースＣ内に入り、磁気ディスクメディア４の外周縁部を回って上シェルハーフ１の内面中央部側に流動し、空気流通用開口１ｅを通ってケースＣの外に抜け出る。このように空気流通用開口１ｅを利用して積極的に空気を流動させれば、ケースＣ内に存在していた塵埃等や、ケースＣの外で空気に混入していた塵埃等がこの空気と一緒にケースＣの外に排出されるようになり、塵埃等が磁気ディスクメディア４に付着することが防止されて、ドロップアウトの発生が抑えられる。
【００２５】
なお本実施の形態では、磁気ディスクメディア４の中心部に、上端が尖鋭化された当接部４ｄが固定されている。ケースＣ内に流入する空気によって磁気ディスクメディア４が上方に押されると、この当接部４ｄが上シェルハーフ１の内面に当接して、磁気ディスクメディア４の軸方向位置が規定される。
【００２６】
次に、本発明の第３の実施の形態について説明する。図４は本発明の第３の実施の形態による磁気ディスクカートリッジの側断面形状を示すものである。本実施の形態の磁気ディスクカートリッジにおいても、ケースＣを構成する上シェルハーフ１の中央部に、一例として２個の空気流通用開口１ｆが設けられている。図示しないドライブ装置において、この磁気ディスクカートリッジの装填位置は、該ドライブ装置内を流通する冷却用空気（図４中、その流動経路を矢印Ｆで示す）が上シェルハーフ１の中央部分に当たるように設定されている。
【００２７】
そこで上記冷却用空気は、上シェルハーフ１の空気流通用開口１ｆからケースＣ内に入り、磁気ディスクメディア４の外周縁部を回って下シェルハーフ２の内面中央部側に流動し、スピンドル孔２ｂを通ってケースＣの外に抜け出る。このように空気流通用開口１ｆを利用して積極的に空気を流動させれば、ケースＣ内に存在していた塵埃等や、ケースＣの外で空気に混入していた塵埃等がこの空気と一緒にケースＣの外に排出されるようになり、塵埃等が磁気ディスクメディア４に付着することが防止されて、ドロップアウトの発生が抑えられる。
【００２８】
なおケースＣに設ける空気流通用開口１ｅや１ｆの数は、上に説明した各実施の形態における２個に限られるものではなく、その他適宜好ましい数を採用することができる。
【００２９】
また以上説明した実施の形態は、いわゆる３．５インチタイプのフロッピディスク（登録商標）カートリッジに本発明を適用したものであるが、本発明はその種の磁気ディスクカートリッジに限らず、例えば、より小径の磁気ディスクメディアをケースに収納してなる磁気ディスクカートリッジに対しても適用可能であり、その場合にも上記と同様の効果を奏するものである。そのような小径の磁気ディスクメディアをケースに収納してなる磁気ディスクカートリッジとしては、例えば特願２００２−１１７８３８号明細書に示されているものが挙げられる。
【図面の簡単な説明】
【図１】本発明の第１の実施形態による磁気ディスクカートリッジを示す分解斜視図
【図２】本発明の第２の実施形態による磁気ディスクカートリッジを示す斜視図
【図３】図２の磁気ディスクカートリッジの側断面図
【図４】本発明の第３の実施形態による磁気ディスクカートリッジを示す側断面図
【符号の説明】
１　　上シェルハーフ
１ｂ　空気排出孔
１ｄ　インペラ状の突起
１ｅ、１ｆ　　空気流通用開口
２　　下シェルハーフ
２ｂ　スピンドル孔
２ｄ　インペラ状の突起
３　　センターコア
４　　磁気ディスクメディア
５　　シャッター
１０、１１　　磁気ヘッド挿入用の窓部
Ｃ　　ケース
【図１】
2004013991.tif 000003
【図２】
2004013991.tif 000004
【図３】
2004013991.tif 000005
【図４】
2004013991.tif 000006